(57)【要約】【課題】足の親指だけに負担をかけることなく、かつ就寝中等のこむら返りの発生を安定して防止することができるこむら返り防止サポータを提供する。【解決手段】つま先全体から中足骨を含む足先部が挿入される足先挿入部３と、足先挿入部３の両側に設けた装着用バンド部４ａ，４ｂと、各装着用バンド部４ａ，４ｂの先端部に設けた面ファスナー５ａ，５ｂとを備え、足先挿入部３に挿入されたつま先全体から中足骨を含む足先部及び甲をすね側に適度に引き寄せるように装着用バンド部４ａ，４ｂの先端側を足首側に引いて、装着用バンド部４ａ，４ｂを甲の上で交差するようにして足首の両側から巻き付け、装着用バンド部４ａ，４ｂの先端部同士を面ファスナー５ａ，５ｂにより足首の周囲に固定する。【選択図】図２
2012183259.tif 000002
【特許請求の範囲】
【請求項１】
つま先全体から中足骨を含む足先部が挿入される足先挿入部と、前記足先挿入部の両側にそれぞれ設けた帯状のバンド部と、前記各バンド部の先端部にそれぞれ設けられ、該各バンド部の先端部同士を着脱自在に固定するための固定部材とを備え、
前記足先挿入部に挿入したつま先全体から中足骨を含む足先部及び甲をすね側に適度に引き寄せるように前記各バンド部の先端側を足首側に引いて、前記各バンド部を甲の上で交差するようにして足首の両側から巻き付け、該各バンド部の先端部同士を前記各固定部材により足首の周囲に固定することを特徴とするこむら返り防止サポータ。
【発明の詳細な説明】
【技術分野】
【０００１】
本発明は、就寝時等においてふくらはぎなどの筋肉が突然けいれんすることによって起こるこむら返りを防止するためのこむら返り防止サポータに関する。
【背景技術】
【０００２】
就寝時において掛け布団の重み等によって足首が反った状態になっていると、ふくらはぎの筋肉が突然けいれんして、いわゆる「こむら返り」が起きることがある。こむら返りは、特に糖尿病や肝疾患のある人、高齢者、妊婦、スポーツ疲労の人などに起きやすいことが知られている。こむら返りが起きるとふくらはぎに激痛が生じるため、こむら返りが起きやすい人にとっては、就寝中にこむら返りが起きるのではないかと不安になり、安眠できなくなる。
【０００３】
このため、就寝中等にこむら返りが起きるのを防止するための器具が従来より提案されている（例えば、特許文献１参照）。
【０００４】
前記特許文献１の器具は、先端に親指挿入部を有するゴム製の紐と、この紐の基端側を固定した輪状のクッションパッドを備えており、クッションパッドを足首に巻き付けて紐の親指挿入部に足の親指を挿入することで、就寝中等に足首が反ることを抑制して、こむら返りが起きるのを防止するようにしている。
【先行技術文献】
【特許文献】
【０００５】
【特許文献１】実用新案登録第３０８９３６５号公報
【発明の概要】
【発明が解決しようとする課題】
【０００６】
ところで、前記特許文献１の器具では、ゴム製の紐の親指挿入部に足の親指を挿入して、ゴムの弾性力で足の親指を甲側へ大きく反らすように保持している。このため、長時間装着すると親指だけに負担が生じ、親指の付け根部の関節に痛みが発生するおそれがある。
【０００７】
また、就寝中に足首に巻き付けたクッションパッドの位置がずれると、親指が紐の親指挿入部から簡単に外れるおそれがあり、就寝中におけるこむら返りの発生を安定して防止できなくなる。
【０００８】
そこで、本発明は、長時間装着しても足の親指だけに負担をかけることなく、かつ就寝中等におけるこむら返りの発生を安定して防止することができるこむら返り防止サポータを提供することを目的とする。
【課題を解決するための手段】
【０００９】
前記目的を達成するために本発明のこむら返り防止サポータは、つま先全体から中足骨を含む足先部が挿入される足先挿入部と、前記足先挿入部の両側にそれぞれ設けた帯状のバンド部と、前記各バンド部の先端部にそれぞれ設けられ、該各バンド部の先端部同士を着脱自在に固定するための固定部材とを備え、前記足先挿入部に挿入したつま先全体から中足骨を含む足先部及び甲をすね側に適度に引き寄せるように前記各バンド部の先端側を足首側に引いて、前記各バンド部を甲の上で交差するようにして足首の両側から巻き付け、該各バンド部の先端部同士を前記各固定部材により足首の周囲に固定することを特徴としている。
【発明の効果】
【００１０】
本発明に係るこむら返り防止サポータによれば、足先挿入部につま先全体から中足骨を含む足先部を挿入し各バンド部の先端側を足首側に引いて、各バンド部を甲の上で交差するようにして足首の周囲に巻き付けて固定することにより、足先挿入部に挿入された足先部（つま先全体から中足骨付近）及び甲がすね側に適度に引き寄せられた状態に確実に保持することができる。これにより、こむら返りの要因となる足首（甲）の反りやつま先の足裏方向への屈曲が抑えられ、安定して就寝中等におけるこむら返りの発生を防止することができる。
【００１１】
更に、足先挿入部につま先全体から中足骨を含む足先部を挿入するので、長時間使用しても足先の一部（例えば、足の親指だけ）に負担がかかることはなく、足先部に痛みが生じることはない。
【００１２】
また、各バンド部を甲の上で交差するようにして足首の周囲に巻き付けて各固定部材で固定する構成なので、長時間使用しても足首に痛みが生じることはない。更に、各バンド部を甲の上で交差するようにして足首の周囲に巻き付けて各固定部材で固定する構成なので、こむら返り防止サポータを装着する人に応じて、足先部（つま先全体から中足骨付近）をすね側に適切な角度に引き寄せた状態に容易に調節することができ、かつ引き寄せた状態を安定して保持することができる。
【図面の簡単な説明】
【００１３】
【図１】本発明の実施形態に係るこむら返り防止サポータの外観を示す概略図。
【図２】（ａ）〜（ｄ）は、本実施形態に係るたこむら返り防止サポータを足に装着するときの手順を示す図。
【図３】本実施形態に係るたこむら返り防止サポータを足に装着した状態を示す平面図。
【発明を実施するための形態】
【００１４】
以下、本発明を図示の実施形態に基づいて説明する。図１は、本実施形態に係るこむら返り防止サポータの外観を示す概略図である。
【００１５】
図１に示すように、本実施形態に係るこむら返り防止サポータ１は、上部カバー部２を縫着して先端側が閉じ挿入側が開口したポケット状の足先挿入部３と、足先挿入部３の両側にそれぞれ一体的に形成された帯状の装着用バンド部４ａ，４ｂを有しており、ポリエステル等の化学繊維によって折り曲げ自在で、通気性及び若干の伸縮性を有するように作製されている。
【００１６】
足先挿入部３は、つま先Ｌ１から中足骨Ｌ２付近までの足先部が挿入される大きさに形成されている。装着用バンド部４ａの先端側の上面部及び装着用バンド部４ｂの先端側の背面部には、面ファスナー５ａ，５ｂがそれぞれ取り付けられている。なお、図１では、一方の装着用バンド部４ａを折り曲げているが、他方の装着用バンド部４ｂも同様に折り曲げ自在である。
【００１７】
次に、上記したこむら返り防止サポータ１を足に装着するときの手順を、図２（ａ）〜（ｄ）を参照して説明する。なお、図２（ａ）〜（ｄ）では、右足にこむら返り防止サポータ１を装着する例であるが、左足にも同様に装着することができる。この場合は、このこむら返り防止サポータ１全体を１８０度反転して裏返しにするか、又は、図２（ｂ）において、右手（不図示）で左側の装着用バンド部４ｂの先端を先に手前側（足のすね側）に持ってきて、足首の右側から沿わせることで、同様に左足に装着することができる。
【００１８】
図２（ａ）に示すように、脚部Ｌの足先部全体（つま先から中足骨付近（図１参照））をポケット状の足先挿入部３に挿入する。なお、足先挿入部３は、そのつま先挿入方向の長さがつま先から中足骨付近までの長さしかないので、中足骨付近よりも後ろ側が足先挿入部３内に挿入されることはない。
【００１９】
そして、図２（ｂ）に示すように、不図示の右手又は左手で右側（小指側）の装着用バンド部４ａの先端側を甲の上からねじるようにして足首側に持ってきて、足首の左側に沿わせるようにする。この際、装着用バンド部４ａの先端部に設けた面ファスナー５ａは表面側（足首と接する側と反対側）を向いている。なお、図２（ｂ）では、左側（親指側）の装着用バンド部４ｂの先端側をすね側後方に折り曲げている。
【００２０】
そして、図２（ｃ）に示すように、装着用バンド部４ａの先端側を足首の後ろ側（すねと反対側）で保持した状態で、不図示の左手又は右手で装着用バンド部４ｂの先端側を甲の上からねじるようにして足首側に持ってきて、足首の右側に沿わせるようにする。この際、装着用バンド部４ｂの先端部に設けた面ファスナー５ｂは背面側（足首と接する側）を向いている。この状態では、甲の上で装着用バンド部４ａと装着用バンド部４ｂが交差されている。
【００２１】
そして、図２（ｄ）に示すように、装着用バンド部４ａ，４ｂの先端側を足首の後ろ側に少し引いて、甲と一体に足先挿入部３に挿入された足先部全体（つま先から中足骨付近）をすね側に適度に引き寄せ、この状態で装着用バンド部４ａ，４ｂの先端側を足首の周囲に沿って巻き付け、面ファスナー５ａ，５ｂ同士を密着させて固定する。
【００２２】
これにより、図２（ｄ）、図３に示すように、こむら返り防止サポータ１の装着用バンド部４ａ，４ｂが甲の上で交差するようにして足首の後ろ側に固定されるので、足先挿入部３に挿入された足先部全体（つま先から中足骨付近）がすね側に適度に引き寄せられた状態に確実に保持することができる。そして、図２（ｄ）、図３に示したように、こむら返り防止サポータ１を足に装着した状態で就寝することで、こむら返りの要因となる足首（甲）の反りやつま先（特に親指）の足裏方向への屈曲が抑えられ、就寝中におけるこむら返りの発生を安定して防止することができる。
【００２３】
更に、本実施形態のこむら返り防止サポータ１は、足先挿入部３に足先部全体（つま先から中足骨付近）を挿入するので、長時間使用しても足先の一部（例えば、親指）に負担がかかることはなく、足先部に痛みが生じることはない。また、装着用バンド部４ａ，４ｂを甲の上で交差するようにして足首の後ろ側で面ファスナー５ａ，５ｂで確実に固定する構成なので、こむら返り防止サポータ１を装着する人に応じて、足先部（つま先全体から中足骨付近）をすね側に適切な角度に引き寄せた状態に容易に調節することができ、かつ引き寄せた状態を安定して保持することができる。
【００２４】
なお、前記した実施形態のこむら返り防止サポータ１において、足先挿入部３の挿入される足裏側が接する面に、所定の剛性を有するパッド部材を取り付けてもよい。また、こむら返り防止サポータ１の足先挿入部３の先端側の形状を右足と左足に合わせて２個作製し、右足専用のこむら返り防止サポータと左足専用のこむら返り防止サポータを作製してもよい。
【００２５】
また、前記実施形態では就寝中に前記こむら返り防止サポータ１を足に装着しておく例であったが、これ以外にも、例えば、就寝前に前記こむら返り防止サポータ１を足に数分から数十分間装着するだけでも、こむら返りの発生を予防することができる。
【００２６】
更に、スポーツする前のストレッチ運動時に前記こむら返り防止サポータ１を足に装着しておくことにより、スポーツ時におけるこむら返りの発生を予防することができる。
【符号の説明】
【００２７】
１        こむら返り防止サポータ
２        上部カバー部
３        足先挿入部
４ａ，４ｂ      装着用バンド部
５ａ，５ｂ      面ファスナー
【図１】
2012183259.tif 000003
【図２】
2012183259.tif 000004
【図３】
2012183259.tif 000005